(57)【要約】  空気浄化装置及びこれを制御する方法が開示される。具体的には、空気を吐出するファン１００と、センサ部２００と、前記ファン１００の回転を制御する制御部３００と、を含む。前記制御部３００は、基準時間から既に設定された時間間隔の間の前記ファン１００の回転速度、前記ファン１００の回転速度の変化量及び前記センサ部２００で感知された粒子の濃度の変化量を演算する変化量演算モジュール３１０と、前記基準時間から前記既に設定された時間間隔の間の前記演算されたファン１００の回転速度、前記演算されたファン１００の回転速度の変化量及び前記演算された粒子の濃度の変化量を既に設定された第１方法で前記基準時間から前記既に設定された時間間隔の間の標準点数値でそれぞれ演算して合算し、これを繰り返して多数の合算された標準点数値を演算する標準点数演算モジュール３２０と、前記多数の合算された標準点数値中、最高値に対応する前記ファン１００の回転速度、前記ファン１００の回転速度の変化量及び前記粒子の濃度の変化量を前記基準時間の最適値として保存する学習モジュール３３０と、毎基準時間ごとに、前記学習モジュール３３０に保存された最適値に該当する前記ファン１００の回転速度に対応するように前記ファン１００の回転速度を制御する人工知能制御モジュール３４０と、を含む空気浄化装置及びこれを制御する方法が開示される。【選択図】図３
2021527791.tif 000002
【特許請求の範囲】
【請求項１】
空気を吐出するファン（１００）と、
センサ部（２００）と、
前記ファン（１００）の回転を制御する制御部（３００）と、を含み、
前記制御部（３００）は、
基準時間から既に設定された時間間隔の間の前記ファン（１００）の回転速度、前記ファン（１００）の回転速度の変化量、及び前記センサ部（２００）で感知された粒子の濃度の変化量を演算する変化量演算モジュール（３１０）と、
前記基準時間から前記既に設定された時間間隔の間の前記演算されたファン（１００）の回転速度、前記演算されたファン（１００）の回転速度の変化量、及び前記演算された粒子の濃度の変化量を、既に設定された第１方法で前記基準時間から前記既に設定された時間間隔の間の標準点数値でそれぞれ演算して合算し、これを繰り返して多数の合算された標準点数値を演算する標準点数演算モジュール（３２０）と、
前記多数の合算された標準点数値中、最高値に対応する前記ファン（１００）の回転速度、前記ファン（１００）の回転速度の変化量、及び前記粒子の濃度の変化量を前記基準時間の最適値として保存する学習モジュール（３３０）と、
毎基準時間ごとに、前記学習モジュール（３３０）に保存された最適値に該当する前記ファン（１００）の回転速度に対応するように前記ファン（１００）の回転速度を制御する人工知能制御モジュール（３４０）と、を含む、
空気浄化装置。
【請求項２】
前記センサ部（２００）で感知された粒子の濃度を、既に設定された第２方法により汚染指数で演算する汚染指数演算モジュール（３５０）を含む、
請求項１に記載の空気浄化装置。
【請求項３】
前記演算された汚染指数をその大小関係に応じて所定の段階に区分し、前記所定の段階に対応するように前記ファン（１００）の回転速度を制御する自動制御モジュール（３６０）を含む、
請求項２に記載の空気浄化装置。
【請求項４】
空気を吐出するファン（１００）及びセンサ部（２００）を含む空気浄化装置を制御する方法であって、
（ａ）変化量演算モジュール（３１０）が基準時間から既に設定された時間間隔の間の前記ファン（１００）の回転速度、前記ファン（１００）の回転速度の変化量、及び前記センサ部（２００）で感知された粒子の濃度の変化量を演算するステップと、
（ｂ）標準点数演算モジュール（３２０）が前記基準時間から前記既に設定された時間間隔の間の前記演算されたファン（１００）の回転速度、前記演算されたファン（１００）の回転速度の変化量、及び前記演算された粒子の濃度の変化量を、既に設定された第１方法で前記基準時間から前記既に設定された時間間隔の間の標準点数値でそれぞれ演算して合算し、これを繰り返して多数の合算された標準点数値を演算するステップと、
（ｃ）学習モジュール（３３０）が前記多数の合算された標準点数値中、最高値に対応する前記ファン（１００）の回転速度、前記ファン（１００）の回転速度の変化量、及び前記粒子の濃度の変化量を前記基準時間の最適値として保存するステップと、
（ｄ）人工知能制御モジュール（３４０）が毎基準時間ごとに、前記学習モジュール（３３０）に保存された最適値に該当する前記ファン（１００）の回転速度に対応するように前記ファン（１００）の回転速度を制御するステップと、を含む、
空気浄化装置の制御方法。
【請求項５】
前記空気浄化装置は、データ収集モードで作動可能であり、
前記データ収集モードは、前記（ａ）のステップ〜前記（ｃ）のステップを繰り返す、
請求項４に記載の空気浄化装置の制御方法。
【請求項６】
前記データ収集モードと前記（ｄ）のステップは同時に作動可能である、
請求項５に記載の空気浄化装置の制御方法。
【請求項７】
前記空気浄化装置は人工知能モードで作動可能であり、
前記人工知能モードは前記（ａ）のステップ〜前記（ｄ）のステップを繰り返すものである、
請求項４に記載の空気浄化装置の制御方法。
【請求項８】
（ｅ）汚染指数演算モジュール（３５０）が前記センサ部（２００）で感知された粒子の濃度を、既に設定された第２方法により汚染指数で演算するステップをさらに含む、
請求項７に記載の空気浄化装置の制御方法。
【請求項９】
前記（ｅ）のステップの後、（ｆ）自動制御モジュール（３６０）が前記演算された汚染指数をその大小関係に応じて所定の段階に区分し、前記所定の段階に対応するように前記ファン（１００）の回転速度を制御するステップをさらに含む、
請求項８に記載の空気浄化装置の制御方法。
【請求項１０】
前記空気浄化装置は自動モードで作動可能であり、
前記自動モードは前記（ｅ）のステップ及び前記（ｆ）のステップを繰り返すものである、
請求項９に記載の空気浄化装置の制御方法。
【請求項１１】
前記空気浄化装置が人工知能モードで作動中に、
前記センサ部（２００）で感知された前記粒子の濃度を前記既に設定された第２方法で演算した汚染指数が、前記自動制御モジュール（３６０）が区分した前記所定の段階中、既に設定された段階に該当する場合、
前記空気浄化装置は強制的に前記自動モードで作動する、
請求項１０に記載の空気浄化装置の制御方法。
【請求項１２】
前記空気浄化装置が前記自動モードで作動中、実際の時間が前記基準時間に該当し、
前記センサ部（２００）で感知された前記粒子の濃度を前記既に設定された第２方法で演算した汚染指数が、前記自動制御モジュール（３６０）が区分した前記所定の段階中、既に設定された段階に該当する場合、
前記空気浄化装置は前記自動モードで作動する、
請求項１０に記載の空気浄化装置の制御方法。
【請求項１３】
前記空気浄化装置が前記自動モードで作動中、実際の時間が前記基準時間に該当し、
前記センサ部（２００）で感知された前記粒子の濃度を前記既に設定された第２方法で演算した汚染指数が、前記自動制御モジュール（３６０）が区分した前記所定のステップの中、既に設定されたステップに該当しない場合、
前記空気浄化装置は前記人工知能モードで作動する、
請求項１２に記載の空気浄化装置の制御方法。
【請求項１４】
前記空気浄化装置が人工知能モードで作動中、実際の時間が前記基準時間に該当し、
前記センサ部（２００）で感知された前記粒子の濃度を前記既に設定された第２方法で演算した汚染指数が、前記自動制御モジュール（３６０）が区分した前記所定の段階中、既に設定された段階に該当する場合、
前記空気浄化装置は前記自動モードで作動する、
請求項１０に記載の空気浄化装置の制御方法。
【請求項１５】
前記空気浄化装置が人工知能モードで作動中、実際の時間が前記基準時間に該当するものの、
前記センサ部（２００）で感知された前記粒子の濃度を前記既に設定された第２方法で演算した汚染指数が、前記自動制御モジュール（３６０）が区分した前記所定の段階中、既に設定された段階に該当しない場合、
前記空気浄化装置は前記人工知能モードで作動する、
請求項１４に記載の空気浄化装置の制御方法。
【発明の詳細な説明】
【技術分野】
【０００１】
本発明は、空気浄化装置及びこれを制御する方法に関し、より具体的には、リアルタイムで感知された粒子濃度及びその変化量に応じてファンの回転速度が制御されるだけでなく、使用者の生活パターンによる時間に応じてファンの回転速度を制御する空気浄化装置及びこれを制御する方法に関する。
【背景技術】
【０００２】
微細なホコリの増加による室内空気の質に対する関心が増加している。従来は、窓を開いて外気を流入させることにより換気を行って室内空気の質を向上させたが、外気に含まれる粒子の濃度上昇があると、換気を通じた室内空気の浄化は大きな効果を期待し難い。
【０００３】
従って、窓を通じた換気なしに室内空気の質を向上させるための案として空気清浄機が脚光を浴びている。空気清浄機は、内部にヘパフィルタ、ホコリフィルタなどを含み、装置内部に吸い込んだ室内空気を濾過した後、再度排出することにより室内空気を浄化する機能を発揮する。
【０００４】
さらに、使用者が直接空気清浄機を操作しなくても、空気清浄機に備えられた微細ホコリセンサで感知された微細ホコリ濃度に応じて自動で空気清浄機が作動して室内空気を浄化する技術が開示されている。
【０００５】
韓国公開特許第１０−２０１７−０１０５９４８号公報（特許文献１）は、微細ホコリ感知センサを用いて感知された微細ホコリのリアルタイム情報を用いて作動するか否かを決定する空気清浄換気機システムを開示する。
【０００６】
ところが、このような類型の空気清浄換気システムは高濃度の微細ホコリが発生した後に、空気清浄機が作動して室内空気を浄化するので、微細ホコリの発生前に微細ホコリの発生を予測し、先制的に空気清浄を行って事前に微細ホコリを除去することは困難な限界がある。
【０００７】
韓国登録特許第１０−１０９１１１４号公報（特許文献２）は、室内空気汚染の程度に応じて給気口及び排気口の開閉を制御して室内の汚染空気を新鮮な空気で浄化するための換気システムを開示する。
【０００８】
ところが、このような類型の換気システムは、外気を用いて室内の汚染空気を浄化するための案としては意味があるが、外気に含まれる微細ホコリによる室内空気の追加汚染に関する考察はないという限界がある。
【０００９】
また、このような類型の換気システムは、微細ホコリ以外に室内に流入しうる多様な粒子と、多様な空気浄化装置に適用されるシステム及び制御方法と、に関する考察はないという限界がある。
【先行技術文献】
【特許文献】
【００１０】
【特許文献１】韓国公開特許第１０−２０１７−０１０５９４８号公報（２０１７．０９．２０．）
【特許文献２】韓国登録特許第１０−１０９１１１４号（２０１１．１２．１３．）
【発明の概要】
【発明が解決しようとする課題】
【００１１】
本発明の目的は、使用者の生活パターンを学習し、基準時間おける粒子の状況に応じて所定の時間が経過した時点で、粒子を下げるために基準時間のファンの回転速度を適宜選択できるように空気浄化装置のファンの回転速度を制御しながらも室内の粒子の濃度が急上昇する場合には、リアルタイムでファンの回転速度を上昇させることにより、室内空気の清浄効率を向上させると共に消費電力を低減する空気浄化装置及びこれを制御する方法を提供することにある。
【課題を解決するための手段】
【００１２】
上記目的を達成するために、本発明は、空気を吐出するファン１００と、センサ部２００と、上記ファン１００の回転を制御する制御部３００と、を含む。上記制御部３００は、基準時間から既に設定された時間間隔の間の上記ファン１００の回転速度、上記ファン１００の回転速度の変化量、及び上記センサ部２００で感知された粒子濃度の変化量を演算する変化量演算モジュール３１０と、上記基準時間から上記既に設定された時間間隔の間の上記演算されたファン１００の回転速度、上記演算されたファン１００の回転速度の変化量、及び上記演算された粒子濃度の変化量を、既に設定された第１方法で上記基準時間から上記既に設定された時間間隔の間の標準点数値でそれぞれ演算して合算し、これを繰り返して多数の合算された標準点数値を演算する標準点数演算モジュール３２０と、上記多数の合算された標準点数値中、最高値に対応する上記ファン１００の回転速度、上記ファン１００の回転速度の変化量、及び上記粒子濃度の変化量を上記基準時間の最適値として保存する学習モジュール３３０と、毎基準時間ごとに、上記学習モジュール３３０に保存された最適値に該当する上記ファン１００の回転速度に対応するように上記ファン１００の回転速度を制御する人工知能制御モジュール３４０と、を含む空気浄化装置を提供する。
【００１３】
また、上記センサ部２００で感知された粒子濃度を、既に設定された第２方法により汚染指数で演算する汚染指数演算モジュール３５０を含むことができる。
【００１４】
また、上記演算された汚染指数をその大小関係に応じて所定の段階に区分し、上記所定の段階に対応するように上記ファン１００の回転速度を制御する自動制御モジュール３６０を含むことができる。
【００１５】
また、本発明は、空気を吐出するファン１００及びセンサ部２００を含む空気浄化装置を制御する方法であって、（ａ）変化量演算モジュール３１０が基準時間から既に設定された時間間隔の間の上記ファン１００の回転速度、上記ファン１００の回転速度の変化量及び上記センサ部２００で感知された粒子濃度の変化量を演算するステップと、（ｂ）標準点数演算モジュール３２０が上記基準時間から上記既に設定された時間間隔の間の上記演算されたファン１００の回転速度、上記演算されたファン１００の回転速度の変化量及び上記演算された粒子濃度の変化量を既に設定された第１方法で上記基準時間から上記既に設定された時間間隔の間の標準点数値でそれぞれ演算して合算し、これを繰り返して多数の合算された標準点数値を演算するステップと、（ｃ）学習モジュール３３０が上記多数の合算された標準点数値中、最高値に対応する上記ファン１００の回転速度、上記ファン１００の回転速度の変化量及び上記粒子濃度の変化量を上記基準時間の最適値として保存するステップと、（ｄ）人工知能制御モジュール３４０が毎基準時間ごとに、上記学習モジュール３３０に保存された最適値に該当する上記ファン１００の回転速度に対応するように上記ファン１００の回転速度を制御するステップと、を含む空気浄化装置の制御方法を提供する。
【００１６】
また、上記空気浄化装置はデータ収集モードで作動可能であり、上記データ収集モードは、上記（ａ）のステップ〜上記（ｃ）のステップを繰り返すものであってもよい。
【００１７】
また、上記データ収集モードと上記（ｄ）のステップは同時に作動可能である。
【００１８】
また、上記空気浄化装置は人工知能モードで作動可能であり、上記人工知能モードは上記（ａ）のステップ〜上記（ｄ）のステップを繰り返すものであってもよい。
【００１９】
また、上記方法は、（ｅ）汚染指数演算モジュール３５０が上記センサ部２００で感知された粒子濃度を、既に設定された第２方法により汚染指数で演算するステップをさらに含んでもよい。
【００２０】
また、上記方法は、上記（ｅ）のステップの後、（ｆ）自動制御モジュール３６０が上記演算された汚染指数をその大小関係に応じて所定の段階に区分し、上記所定の段階に対応するように上記ファン１００の回転速度を制御するステップをさらに含んでもよい。
【００２１】
また、上記空気浄化装置は自動モードで作動可能であり、上記自動モードは上記（ｅ）のステップ及び上記（ｆ）のステップを繰り返すものであってもよい。
【００２２】
また、上記空気浄化装置が人工知能モードで作動中、上記センサ部２００で感知された上記粒子濃度を上記既に設定された第２方法で演算した汚染指数が、上記自動制御モジュール３６０が区分した上記所定の段階中、既に設定された段階に該当する場合、上記空気浄化装置は強制的に上記自動モードで作動することができる。
【００２３】
また、上記空気浄化装置が上記自動モードで作動中、実際の時間が上記基準時間に該当し、上記センサ部２００で感知された上記粒子濃度を上記既に設定された第２方法で演算した汚染指数が、上記自動制御モジュール３６０が区分した上記所定の段階中、既に設定された段階に該当する場合、上記空気浄化装置は上記自動モードで作動することができる。
【００２４】
また、上記空気浄化装置が上記自動モードで作動中、実際の時間が上記基準時間に該当し、上記センサ部２００で感知された上記粒子濃度を上記既に設定された第２方法で演算した汚染指数が、上記自動制御モジュール３６０が区分した上記所定のステップの中、既に設定されたステップに該当しない場合、上記空気浄化装置は上記人工知能モードで作動することができる。
【００２５】
また、上記空気浄化装置が人工知能モードで作動中、実際の時間が上記基準時間に該当し、上記センサ部２００で感知された上記粒子濃度を上記既に設定された第２方法で演算した汚染指数が、上記自動制御モジュール３６０が区分した上記所定の段階中、既に設定された段階に該当する場合、上記空気浄化装置は上記自動モードで作動することができる。
【００２６】
また、上記空気浄化装置が人工知能モードで作動中、実際の時間が上記基準時間に該当するものの、上記センサ部２００で感知された上記粒子濃度を上記既に設定された第２方法で演算した汚染指数が、上記自動制御モジュール３６０が区分した上記所定の段階中、既に設定された段階に該当しない場合、上記空気浄化装置は上記人工知能モードで作動することができる。
【発明の効果】
【００２７】
本発明によれば、空気浄化装置が、使用者の生活パターンに従って各時間及び用いられる場所の微細ホコリ発生量を反復的に学習し、使用者の生活パターンに従った粒子発生濃度を予測して先制的に空気清浄を行うので、粒子の大量発生前に室内空気の清浄が可能である。
【００２８】
また、使用者の生活パターンに従って空気浄化装置を制御しながらも不測の変数により粒子濃度が瞬間的に急上昇する場合、既に保存された使用者の生活パターンと関係なくファンの回転速度を上昇させて室内空気清浄を行うので、予想できなかった粒子濃度の変化にも即刻対応することができる。
【００２９】
従って、使用者の生活パターンに従って発生する粒子濃度に応じてファンの回転速度を制御しながらも、粒子濃度が急上昇する場合には、ファンの回転速度を上昇させるので、室内空気の清浄状態を維持しながらも消費電力を最小化することができる。
【００３０】
また、本発明によるセンサ部及び制御部は多様な空気を浄化する装置に備えられ、空気を浄化する装置を制御することができる。
【００３１】
また、本発明は室内に存在する微細ホコリ、有害物質、二酸化炭素、酸素などの多様な粒子の濃度に基づいて制御することができ、使用者の必要に応じて多様な粒子の濃度を調節することができる。
【図面の簡単な説明】
【００３２】
【図１】本発明の実施例による空気浄化装置を示す斜視図である。
【図２】図１の空気浄化装置を制御するための構成を示すブロック図である。
【図３】本発明の実施例による空気浄化装置の制御方法を示すフローチャートである。
【図４】図３の制御方法中、データ収集モードを示すフローチャートである。
【図５】図３の制御方法中、人工知能モードを示すフローチャートである。
【図６】図３の制御方法中、自動モードを示すフローチャートである。
【図７】本発明の実施例による空気浄化装置が自動モードで作動中、人工知能モード適用時に空気質により作動する方法を示す図面である。
【図８】本発明の実施例による空気浄化装置が自動モードで作動中、人工知能モード適用時に空気質により作動する方法を示す図面である。
【図９】本発明の実施例による空気浄化装置が人工知能モードで作動中、人工知能モード適用時に空気質により作動する方法を示す図面である。
【図１０】本発明の実施例による空気浄化装置が人工知能モードで作動中、人工知能モード適用時に空気質により作動する方法を示す図面である。
【発明を実施するための形態】
【００３３】
以下、添付した図面を参照し、本発明の実施例による空気浄化装置及びこれを制御する方法を詳細に説明する。
【００３４】
以下の説明で用いられる「前方側」、「後方側」、「左側」、「右側」、「上側」、「下側」という用語は、図１に示された座標系を参照して理解されるものである。
【００３５】
以下の説明において、空気浄化装置は、空気中の粒子を清浄及び管理する装置をいずれも意味し得る。
【００３６】
以下の説明において、粒子とは、微細ホコリ、ホコリ、室内の揮発性有機化合物、酸素、二酸化炭素など、室内または室外に存在し得る汚染物質をすべて含む。
【００３７】
以下の説明では、本発明による空気浄化装置の例として、空気清浄機を対象に空気清浄機の構成について記載するが、粒子を対象に空気を清浄及び管理する装置であれば、本発明による構成と制御方法を用いることができる。例えば、空気調和機、台所のフードなどの場合、本発明によるセンサ部または制御部が備えられて微細ホコリなどの粒子の濃度を制御し、清浄にすることができる。
【００３８】
以下の説明において、本発明は「微細ホコリ」の濃度に基づいて空気を清浄にすることを記載しているが、これに制限されるものではなく、微細ホコリ、ホコリ、室内の揮発性有機化合物、酸素、二酸化炭素などの粒子の濃度をすべて含み、これに基づいて空気を清浄にすることができる。
【００３９】
以下の表において、「微細ホコリ」の濃度に基づいて本発明による空気浄化装置を制御する方法について説明するが、これは例示に過ぎず、空気浄化装置は、上記微細ホコリ、ホコリ、室内の揮発性有機化合物、酸素、二酸化炭素などの粒子の濃度を適用して制御され得る。
【００４０】
以下の説明で用いられる「基準時間」という用語は、本発明の実施例による空気浄化装置が、後述するファン１００の回転速度及び微細ホコリの濃度を測定するための特定の時刻を意味する。基準時間は、１日を構成する２４時間中のいずれの時間でも選択され得る。
【００４１】
以下の説明で用いられる「既に設定された時間間隔」という用語は、基準時間から経過した特定の時間を意味する。一実施例において、既に設定された時間間隔は、５分に定められ得るが、その時間間隔の大きさは変更され得る。
【００４２】
基準時間と既に設定された時間間隔は、連続して繰り返されうる。言い換えれば、１日の特定時点が基準時間で設定され、既に設定された時間間隔が経過した時点が更に他の基準時間と設定され得る。
【００４３】
例えば、基準時間を「午前７時」、既に設定された時間間隔を「５分」とすれば、午前７時から５分が経過した「午前７時５分」が新たな基準時間と設定され得る。
【００４４】
これにより、本発明の実施例による空気浄化装置は、１日を構成する２４時間全体に対する連続的な使用者の生活パターンを学習することができる。
【００４５】
以下の説明で用いられる「既に設定された第１方法」という用語は、基準時間から既に設定された時間間隔の間に、ファン１００の回転速度、微細ホコリ濃度及びそれぞれの変化量をそれぞれ標準点数値で演算する方法であり、これに関する詳細な説明は後述する。
【００４６】
以下の説明で用いられる「既に設定された第２方法」という用語は、後述する汚染指数演算モジュール３５０が感知された微細ホコリ濃度を複数の段階に分類するために汚染指数を演算する方法を意味し、これに関する詳細な説明は後述する。
【００４７】
以下の説明で用いられる「所定の段階」という用語は、既に設定された第２方法により演算された汚染指数を大小関係に応じて区分した複数の段階を意味し、一実施例において所定の段階は３つに構成され得る。
【００４８】
以下の説明で用いられる「既に設定された段階」という用語は、汚染指数を区分する所定の段階中、汚染指数が最も大きい段階を意味する。
【００４９】
１．空気浄化装置の構成の説明
図１及び図２を参照すると、本発明による空気浄化装置の一実施例である空気清浄機はヘッド部１０、首部２０、ボディ部３０、ベース４０及びセンサ部２００を含む。
【００５０】
示された実施例による空気清浄機は、球状のヘッド部１０が首部２０を通じてボディ部３０に結合した形態であるが、空気清浄機は一体型に備えられ、上側に空気吸込口及び排出口が形成された形態など、その他の形態で備えられてもよい。
【００５１】
また、空気清浄機を例示したものとして、本発明による空気浄化装置はヘッド部１０、首部２０、ボディ部３０、ベース４０が形成されなければならないのではなく、空気浄化装置の種類に応じて、外観をなす構成要素を異にすることができる。
【００５２】
（１）ヘッド部１０の説明
空気清浄機能を行うヘッド部１０は、水平回転と垂直回転がいずれも可能である。これを通じて使用者は多様な方向に空気を吐出させることができる。水平回転と垂直回転は同時になされることもあり、個別になされることもある。
【００５３】
一実施例において、ヘッド部１０は垂直回転時に、ヘッド部１０が上下に回転し、首部２０とボディ部３０は固定される。ヘッド部１０の水平回転時に、ヘッド部１０と首部２０が左右に回転し、ボディ部３０は固定される。
【００５４】
ヘッド部１０は、ヘッド部上部の筐体（図示せず）、ファン組立体（図示せず）、ヘッド部下部の筐体（図示せず）を含み、外気を吸気してフィルタ（図示せず）により浄化した後、再度吐出することにより空気清浄機能を行う。
【００５５】
このために、ファン組立体（図示せず）は、左右側にそれぞれ位置する吸気部グリル（図示せず）と、上記吸気部グリル（図示せず）の内側に位置するフィルタ（図示せず）と、吸気ファン（図示せず）と、上記吸気ファン（図示せず）の正面に位置するファン１００と、ファングリル（図示せず）と、を含む。
【００５６】
示された通り、左右側から個別にまたは同時に吸気するために、吸気ファン（図示せず）は両面ファンであってもよいが、左側または右側のいずれか１つのみで吸気するように変形することが可能である。この場合、吸気ファン（図示せず）は単面ファンであってもよい。
【００５７】
フィルタ（図示せず）は、プレフィルタ、ヘパフィルタなどを含み得るが、含まれるフィルタの数及び種類に制限されない。
【００５８】
ヘッド部１０の下側には首部２０が位置する。
【００５９】
１）ファン１００の説明
ファン１００は、吸気ファン（図示せず）を通じて空気清浄機に流入した空気が浄化過程を経た後、再度空気清浄機の外部に排出され得る移送力を提供する。一実施例において、ファン１００は複数のブレードを備えて空気を外部に排出することができる。
【００６０】
示された実施例において、ファン１００のヘッド部１０の前方側に回転可能に位置するが、その形状及び位置は、空気清浄機内の空気を外部に吐出し得るその他の形態として備えられ、その他の位置に備えられてもよい。
【００６１】
ファン１００の回転速度は制御されてもよい。ファン１００の回転速度により空気清浄機が消耗する電力の量が変化し、ファン１００が高速で回転するほど発生する騒音が大きくなるため、なるべくファン１００の回転速度が低い状態で空気清浄を行うことが好ましい。
【００６２】
一実施例において、ファン１００の回転速度は計３段階に区分され、１段から３段に行くほどその回転速度が増加することに設定され得ること、及びその方法が変更され得ることは言うまでもないである。
【００６３】
本発明の実施例による空気清浄機はファン１００をなるべく低い速度で回転させて空気清浄を行い、必要時のみに高速で回転させて空気清浄を行うことができるが、これに関する詳細な説明は後述する。
【００６４】
（２）首部２０の説明
首部２０はヘッド部１０の下側に位置する。
【００６５】
首部２０は首部筐体（図示せず）、ヘッド部１０の内側に位置するヘッドフレーム（図示せず）、首部筐体（図示せず）の内側に位置してヘッドフレーム（図示せず）と結合するフレームボディ（図示せず）、及びヘッド部１０を垂直回転させる垂直回転部材（図示せず）を含む。
【００６６】
首部２０の下側にはボディ部３０が位置する。
【００６７】
（３）ボディ部３０の説明
ボディ部３０は首部２０の下側に位置する。
【００６８】
ボディ部３０はその内側の部品を保護するボディ部筐体（図示せず）、ヘッド部１０と首部２０とを水平回転させる水平回転部材（図示せず）、内部部品などが結合してベース４０に固定される内部ボディ（図示せず）を含む。
【００６９】
ボディ部筐体（図示せず）は、その中に中空部（図示せず）があり、首部筐体（図示せず）が水平回転可能に挿入される。また、ボディ部筐体（図示せず）の正面には作動状態を表示して使用者から信号の入力を受けるディスプレイ（図示せず）、周辺使用者の動きなどを感知する多数のモーションセンサ（図示せず）が位置する。
【００７０】
ボディ部３０の下側にはベース４０が位置する。
【００７１】
（４）ベース４０の説明
ベース４０は空気清浄機の底面をなす。ベース４０には移動のための多数の車輪（図示せず）と外部から電力の供給を受けるためのケーブル（図示せず）が備えられる。
【００７２】
他の案として、ベース４０は別途の移動のための手段が設けられず、１つの位置に固定されても用いられる。この場合、後述するように、本発明の実施例による空気清浄機が特定位置における使用者の生活パターンを分析してファン１００の回転速度を制御するという点で好ましい。
【００７３】
（５）センサ部２００の説明
センサ部２００は空気清浄機の内部または外部に位置し、室内空気の質を診断するための種々の情報を感知する。
【００７４】
一実施例において、センサ部２００は室内空気の温度、湿度、室内空気中に含まれた粒子の濃度を測定することができる。例えば、センサ部２００はホコリ濃度、微細ホコリ濃度、室内の揮発性有機化合物濃度、室内空気の酸素濃度、室内空気の二酸化炭素濃度などを測定することができる。上述した粒子は粒子の例示に過ぎず、これに制限されることもなく多様な種類の粒子を含むことができる。
【００７５】
本実施例による空気清浄機及びこれを制御する方法は、微細ホコリ濃度を主に用いる方法であるが、上述した種々の粒子の濃度が後述する空気清浄機の作動を制御するために用いられてもよい。
【００７６】
このとき、センサ部２００は、空気清浄機に制限されず、多数の空気浄化装置に備えられ、種々の粒子の濃度を感知することができる。
【００７７】
（６）制御部３００の説明
図２を参照すると、本発明の実施例による空気清浄機は、空気清浄機の作動、特にファン１００が回転するかどうか、及びファン１００の速度などを制御するための制御部３００を含む。制御部３００の中には後述する種々のモジュールが含まれ、センサ部２００で感知された室内空気に関する情報に対応するように浄化装置が制御される。制御部３００はマイクロプロセッサ、ＣＰＵなど演算を行って制御情報を生成するその他の装備として備えられてもよい。
【００７８】
制御部３００は、変化量演算モジュール３１０、標準点数演算モジュール３２０、学習モジュール３３０、人工知能制御モジュール３４０、汚染指数演算モジュール３５０及び自動制御モジュール３６０を含む。
【００７９】
このとき、制御部３００は、上述した通り微細ホコリの濃度及び濃度の変化量に応じて、空気清浄機を制御すると記載されるが、微細ホコリの濃度に制限されるものではなく、センサ部２００で感知した粒子の濃度及び濃度変化量に基づいて空気の清浄を制御することができる。
【００８０】
また、制御部３００は上述した通り、空気清浄機以外の多数の空気浄化装置に備えられ、制御の動作を行うことができる。
【００８１】
例えば、台所に備えられたフードに制御部３００が装着され、変化量演算モジュール３１０を、動作により台所で発生し得る粒子の濃度の変化量、ファン１００の回転速度及び速度の変化量を演算した情報を標準点数演算モジュール３２０に伝達することができる。
【００８２】
標準点数演算モジュール３２０は、伝達された上記情報から、後述する既に設定された第１方法で、基準時間から既に設定された時間間隔の間の標準点数値でそれぞれ演算して合算し、これを繰り返して合算された多数の標準点数値を演算することができる。
【００８３】
学習モジュール３３０は、合算された標準点数値中、最高値に対応する上記情報を基準時間の最適値として保存することができる。
【００８４】
人工知能制御モジュール３４０は、毎基準時間ごとに学習モジュール３３０に保存された最適値に該当するファン１００の回転速度に対応するようにファン１００の回転速度を制御することができる。
【００８５】
制御部３００は、このように台所に備えられたフードに装着され、動作を行うことができる。このとき、上述した台所に備えられたフードは例示に過ぎず、空気を浄化できる装置であればこれに制限されるものではない。
【００８６】
１）変化量演算モジュール３１０の説明
変化量演算モジュール３１０は、基準時間から既に設定された時間間隔の間のファン１００の回転速度、ファン１００の回転速度の変化量、センサ部２００で感知された微細ホコリ濃度及び微細ホコリ濃度の変化量を演算する。
【００８７】
このとき、ファン１００の回転速度及び微細ホコリ濃度はリアルタイムで演算され、ファン１００の回転速度の変化量及び微細ホコリ濃度の変化量は既に設定された時間間隔の間に演算される。
【００８８】
演算されたファン１００の回転速度、ファン１００の回転速度の変化量及び微細ホコリ濃度の変化量は、後述する標準点数演算モジュール３２０に伝達される。
【００８９】
２）標準点数演算モジュール３２０の説明
標準点数演算モジュール３２０は、演算されたファン１００の回転速度、ファン１００の回転速度の変化量、微細ホコリ濃度及び微細ホコリ濃度の変化量のいずれか１つ以上を、既に設定された第１方法で基準時間から既に設定された時間間隔の間の標準点数値でそれぞれ演算して合算する。
【００９０】
ただし、より正確な標準点数値の演算のために、標準点数演算モジュール３２０が基準時間から既に設定された時間間隔の間の標準点数値で演算する因子には、ファン１００の回転速度、ファン１００の回転速度の変化量、微細ホコリ濃度及び微細ホコリ濃度の変化量がすべて含まれることが好ましい。
【００９１】
このとき、既に設定された第１方法は微細ホコリの低い濃度、微細ホコリ濃度の負の変化量程度、ファン１００の低速回転、ファン１００の回転速度の低い変化量に高い点数を付与する。
【００９２】
例えば、既に設定された第１方法は次のような表に基づいて標準点数を算出するものであってもよい。
【００９３】
【表１】
2021527791.tif 000003
【００９４】
微細ホコリ濃度の場合、もちろんその濃度が低いほどさらに高い点数が付与されるので、以下、これに関する詳細な説明は省略する。
【００９５】
もちろん、上述した表は単に例示のためのものに過ぎず、その分類基準及び付与される点数は変更され得る。
【００９６】
また、上述した表により算出された基準時間から既に設定された時間間隔の間の標準点数値の合算過程は、次の表の例示により理解されるものである。
【００９７】
【表２】
2021527791.tif 000004
【００９８】
従って、上述した通り、基準時間及び既に設定された時間間隔は連続的に設定され得るので、１日を構成する２４時間全体に対する空気清浄機の作動による結果が、基準時間及び既に設定された時間間隔を基準に標準点数値で数値化されて算出され得る。標準点数演算モジュール３２０が演算した標準点数値は、該当データ、即ち、ファン１００の回転速度、ファン１００の回転速度の変化量、微細ホコリ濃度及び微細ホコリ濃度の変化量が演算された基準時間から既に設定された時間間隔とそれぞれマッピングされて保存される。
【００９９】
従って、標準点数演算モジュール３２０の演算結果、空気浄化装置の作動による室内空気の質及び空気浄化装置の作動に消耗する電力量などファン１００が特定速度で回転する場合の結果値が数値化されて時間別に保存される。
【０１００】
３）学習モジュール３３０の説明
学習モジュール３３０は、標準点数演算モジュール３２０が演算した各時間帯別の標準点数値を比較して、基準時間で標準点数値が最も高いファン１００の回転速度、ファン１００の回転速度の変化量及び微細ホコリ濃度の変化量を基準時間における最適値として保存する。このとき、微細ホコリ濃度に基づいて算出された点数値も合算され得ることは上述した通りである。
【０１０１】
より具体的には、上述した条件、即ち、ファン１００の回転速度がなるべく低いこと、ファン１００の回転速度の変化量が少ないこと、微細ホコリ濃度が低くなることの３種類の条件を満たす場合、室内空気の清浄及び消費電力の最小化が可能であると判断することができる。
【０１０２】
このとき、微細ホコリ濃度の増加時に、ファン１００の回転速度及び変化量の最小化と微細ホコリ濃度の最小化とを同時に達成するのが困難な場合がある。従って、室内空気の清浄及び消費電力の最小化間の均衡を取るべきである。
【０１０３】
このために、学習モジュール３３０は、標準点数演算モジュール３２０により合算された各時間帯別の標準点数値の大小関係を比較し、最も高い標準点数値を有する条件を該当時間帯の最適値として保存する。
【０１０４】
これは、上述した通り、基準時間が既に設定された時間間隔の間に繰り返されることにより１日を構成する２４時間全体に対して設定され得ることに起因する。
【０１０５】
学習モジュール３３０の最適値算定方法は、基準時間の標準点数値を算出する例示である次の表により理解することができる。
【０１０６】
【表３】
2021527791.tif 000005
【０１０７】
上述した表において、番号３の合算された標準点数値が最も高いので、基準時間の最適値は、ファン１００の回転速度が中間、ファン１００の回転速度の変化量が低い、微細ホコリ濃度の変化量が変化なし、の場合に該当する。即ち、番号３の場合、ファン１００の回転速度、微細ホコリ濃度の変化量において最も高い標準点数値を獲得しなかったにもかかわらず、各項目の標準点数値を合算した結果、最も高い標準点数値を獲得したので、番号３に対応するように空気浄化装置を制御することが室内空気の清浄及び消費電力の最小化間の均衡が極大化され得るものである。
【０１０８】
後述するように、上述した変化量演算モジュール３１０、標準点数演算モジュール３２０及び学習モジュール３３０の各作動過程は、空気浄化装置が作動する間、繰り返されて基準時間のファン１００の回転速度、ファン１００の回転速度の変化量、微細ホコリ濃度及び微細ホコリ濃度の変化量を演算することにより、最適な作動方式を見出すためのデータを累積保存する。
【０１０９】
これを通じて空気浄化装置を制御する方法に関する詳細な説明は後述する。
【０１１０】
学習モジュール３３０が保存した基準時間の最適値は人工知能制御モジュール３４０に伝達される。
【０１１１】
４）人工知能制御モジュール３４０の説明
人工知能制御モジュール３４０は、学習モジュール３３０で最適値として保存されたファン１００の回転速度、ファン１００の回転速度の変化量、微細ホコリ濃度及び微細ホコリ濃度の変化量に対応するようにファン１００の回転速度を制御する。
【０１１２】
上述した例において、最適値は、ファン１００の回転速度が中間、ファン１００の回転速度の変化量が低い、微細ホコリ濃度の変化量が変化なしの場合であるので、人工知能制御モジュール３４０は毎基準時間ごとに、即ち、現実の時間が基準時間に該当すれば、学習モジュール３３０に保存された最適値に該当するようにファン１００の回転速度を中間に、ファン１００の回転速度の変化量は低くなるようにファン１００の回転速度を制御する。
【０１１３】
上述した変化量演算モジュール３１０、標準点数演算モジュール３２０、学習モジュール３３０から反復的にデータが累積保存され、これにより人工知能制御モジュール３４０がファン１００の回転速度を制御することにより、空気浄化装置は使用者の生活パターンに合せて各時間別に最適化された空気清浄を先制的に行うことができる。
【０１１４】
５）汚染指数演算モジュール３５０の説明
汚染指数演算モジュール３５０は、センサ部２００で感知された微細ホコリ濃度を既に設定された第２方法により汚染指数で演算する。
【０１１５】
一般に、微細ホコリはＰＭ２．５（超微細ホコリ）及びＰＭ１０（微細ホコリ）に区分されるが、それぞれの濃度に応じてファン１００の回転速度を異にして効率のよい室内空気の清浄が可能である。
【０１１６】
ただし、ＰＭ２．５及びＰＭ１０の濃度が互いに相違する場合、どちらに加重値をおいてファン１００の回転速度を制御するかが問題となる。
【０１１７】
これについて、汚染指数演算モジュール３５０は、センサ部２００で感知された微細ホコリ濃度を、既に設定された第２方法により、ＰＭ２．５及びＰＭ１０の濃度をいずれも反映させる指標として汚染指数を演算する。既に設定された第２方法として感知された微細ホコリ濃度を反映させる全ての方法が用いられる。
【０１１８】
一実施例による、汚染指数を演算する既に設定された第２方法は次の通りである。後述する既に設定された第２方法は、まず、ＰＭ１０指数及びＰＭ２．５指数をそれぞれ演算し、演算されたＰＭ１０指数及びＰＭ２．５指数を用いて汚染指数を演算する。
【０１１９】
まず、ＰＭ１０指数を演算する方法の例示を説明すると、次の通りである。
【０１２０】
【表４】
2021527791.tif 000006
【０１２１】
次に、ＰＭ２．５指数を演算する方法の例示を説明すると、次の通りである。
【０１２２】
【表５】
2021527791.tif 000007
【０１２３】
上述した方法を通じて演算されたＰＭ１０指数及びＰＭ２．５指数を用いて汚染指数を演算する方法、演算された汚染指数による等級及びこれによる好ましいファン１００の回転速度は、次の通りである。汚染指数＝（０．５＊ＰＭ１０指数）＋（０．５＊ＰＭ２．５指数）
【０１２４】
【表６】
2021527791.tif 000008
【０１２５】
上述した微細ホコリ濃度感知及び汚染指数演算過程はリアルタイムで進行されてもよい。演算された汚染指数は自動制御モジュール（３６０）に伝達される。
【０１２６】
６）自動制御モジュール３６０の説明
自動制御モジュール３６０は、汚染指数演算モジュール３５０で演算された汚染指数を、その大小関係に応じて所定の段階に区分し、所定の段階に対応するようにファン１００の回転速度を制御する。
【０１２７】
例えば、上述した汚染指数の演算結果表から汚染指数が４０と演算された場合、空気の等級は「普通」に該当し、これに適したファン１００の回転速度は２段である。
【０１２８】
一実施例において、自動制御モジュール３６０は、演算された汚染指数を「良好」、「普通」、「悪い」、「非常に悪い」の４段階に区分し、これにより決定されたファン１００の回転速度によってファン１００が回転するように制御する。
【０１２９】
一実施例において、自動制御モジュール３６０は区分された汚染指数が「良好」の場合、ファン１００の回転速度を１段に、区分された汚染指数が「普通」または「悪い」の場合、ファン１００の回転速度を２段に、区分された汚染指数が「非常に悪い」の場合、ファン１００の回転速度を３段に制御することができる。
【０１３０】
汚染指数を区分する段階の数及びこれによるファン１００の回転速度の段階が変更され得ることは言うまでもない。
【０１３１】
上述した自動制御モジュール３６０の作動は、リアルタイムで進行されてもよい。即ち、汚染指数演算モジュール３５０及び自動制御モジュール３６０のリアルタイム作動により、空気浄化装置は室内空気の汚染に即刻対応してファン１００の回転速度を変更し得る。
【０１３２】
２．空気浄化装置を制御する方法の説明
本発明による空気浄化装置は制御部３００の種々のモジュール３１０、３２０、３３０、３４０、３５０、３６０の作動により様々なモードを行うことができる。
【０１３３】
以下、図３〜図６を参照して本発明の実施例による空気浄化装置を制御する方法を詳細に説明する。図３〜図６では粒子の例示として微細ホコリで説明する。
【０１３４】
（１）データ収集モード（Ｓ１００）の説明
データ収集モード（Ｓ１００）は、本発明の実施例による空気浄化装置が後述する人工知能モードで作動するために必要なデータを収集するモードである。
【０１３５】
データ収集モード（Ｓ１００）は、後述する人工知能モード（Ｓ２００）または自動モード（Ｓ３００）とは異なり個別に進行されず、空気浄化装置が作動する間、持続的に繰り返されて使用者の生活パターンに従った時間別のファン１００の回転速度、ファン１００の回転速度の変化量、微細ホコリ濃度及び微細ホコリ濃度の変化量などに対するデータを収集する。
【０１３６】
即ち、データ収集モード（Ｓ１００）は、後述する人工知能モード（Ｓ２００）または自動モード（Ｓ３００）と同時に行われ得る。
【０１３７】
図４を参照すると、まず、変化量演算モジュール３１０が基準時間から既に設定された時間間隔の間のファン１００の回転速度、ファン１００の回転速度の変化量及びセンサ部２００で感知された微細ホコリ濃度及び微細ホコリ濃度の変化量を演算する（Ｓ１１０）。
【０１３８】
標準点数演算モジュール３２０は、基準時間から既に設定された時間間隔の間の演算されたファン１００の回転速度、演算されたファン１００の回転速度の変化量、演算された微細ホコリ濃度及び微細ホコリ濃度の変化量を、既に設定された第１方法で、基準時間から既に設定された時間間隔の間の標準点数値でそれぞれ演算して合算し、これを繰り返して多数の合算された標準点数値を演算して合算し、これを繰り返して多数の合算された標準点数値を演算する（Ｓ１２０）。
【０１３９】
学習モジュール３３０は、多数の合算された標準点数値のうち、最高値に対応するファン１００の回転速度、ファン１００の回転速度の変化量、微細ホコリ濃度及び微細ホコリ濃度の変化量を基準時間の最適値として保存する（Ｓ１３０）。もちろん、微細ホコリ濃度の場合、その値が最も低い場合、基準時間の最適値として保存される。
【０１４０】
このとき、ファン１００の回転速度、ファン１００の回転速度の変化量、微細ホコリ濃度及び微細ホコリ濃度の変化量をすべて含み、基準時間から既に設定された時間間隔の最適値として保存することがデータの信頼性向上のために好ましいことは上述した通りである。
【０１４１】
また、基準時間が複数であり得ることは上述した通りである。即ち、空気浄化装置がデータ収集モード（Ｓ１００）で作動する間、連続的なデータが累積保存され、１日を構成する２４時間全体に対する使用者の生活パターン及びこれによるファン１００の回転速度、ファン１００の回転速度の変化量、微細ホコリ濃度及び微細ホコリ濃度の変化量などが収集され得る。
【０１４２】
即ち、上述した段階は空気浄化装置が作動する間、持続的に繰り返され、使用者の生活パターンをより正確に予測するためのデータを持続的に収集する。
【０１４３】
（２）人工知能モード（Ｓ２００）の説明
人工知能モード（Ｓ２００）は、データ収集モード（Ｓ１００）で収集された使用者の生活パターンと関連したデータに対応するように空気浄化装置を制御するモードである。
【０１４４】
また、人工知能モード（Ｓ２００）が作動するためには、使用者の生活パターンと関連したデータの収集が必須であるところ、上述したデータ収集モード（Ｓ１００）の先行が前提とされることが好ましい。
【０１４５】
人工知能モード（Ｓ２００）は、後述する自動モード（Ｓ３００）と選択的に作動され得る。即ち、人工知能モード（Ｓ２００）及び自動モード（Ｓ３００）のいずれか１つにより空気浄化装置が作動するものの、人工知能モード（Ｓ２００）及び自動モード（Ｓ３００）の相互間のモード切替は自由に行われる。
【０１４６】
一実施例において、使用者が直接人工知能モード（Ｓ２００）または自動モード（Ｓ３００）を選択することができ、この場合、作動中のモードが終了し、選択されたモードの作動が開始される。
【０１４７】
本発明の実施例による空気浄化装置を制御する方法は、空気浄化装置が特定モードで作動中であるとき、リアルタイムで感知された微細ホコリ濃度に応じて他のモードへの切替が適用されたり遮断されたりするが、これに関する詳細な説明は後述する。
【０１４８】
図５を参照すると、まず、上述したデータ収集モード（Ｓ１００）が行われ、基準時間に応じた使用者の生活パターンと関連したデータを収集する（Ｓ１１０〜Ｓ１３０）。
【０１４９】
人工知能制御モジュール３４０は、実際の時間が基準時間に該当すれば、毎基準時間ごとに学習モジュール３３０に保存された最適値に該当するファン１００の回転速度に対応するようにファン１００の回転速度を制御する（Ｓ２１０）。
【０１５０】
即ち、データ収集モード（Ｓ１００）で収集されたデータに基づいて使用者の時間帯別生活パターンを分析し、これにより実際の時間が基準時間、即ち、最適値が保存された時間と同一である場合、最適値に対応するファン１００の回転速度によりファン１００が回転するように制御する。
【０１５１】
従って、使用者による別途の入力がなくても、使用者の生活パターンに従って微細ホコリが発生するか否か、及びその濃度を予測して先制的にファン１００の回転速度が制御されるので、室内空気の清浄効率の向上はもちろん、消費電力の節減が可能である。
【０１５２】
（３）自動モード（Ｓ３００）の説明
自動モード（Ｓ３００）は、センサ部２００からリアルタイムで感知された微細ホコリ濃度に応じて空気浄化装置を制御するモードである。
【０１５３】
図６を参照すると、汚染指数演算モジュール３５０は、センサ部２００からリアルタイムで感知された微細ホコリ濃度を既に設定された第２方法により汚染指数で演算する（Ｓ３１０）。
【０１５４】
既に設定された第２方法として、感知された微細ホコリ濃度を用いて室内空気の汚染程度を演算することができる全ての方法が用いられてもよく、一実施例によって既に設定された第２方法により汚染指数を演算する方法は上述した通りである。
【０１５５】
自動制御モジュール３６０は、演算された汚染指数を、その大小関係に応じて所定の段階に区分し、所定の段階に対応するようにファン１００の回転速度を制御する（Ｓ３２０）。
【０１５６】
一実施例で演算された汚染指数は４段階に区分され、これによりファン１００の速度は３段階で制御され得ることは上述した通りである。
【０１５７】
自動モード（Ｓ３００）では、室内空気の汚染状況に応じてリアルタイムで空気浄化装置の制御が行われるので、リアルタイムで即刻室内空気の清浄が可能である。
【０１５８】
３．人工知能モード及び自動モード間のモード切替過程の説明
上述した通り、人工知能モードは各時間別の使用者の生活パターンに従って先制的な空気清浄を行い、自動モードは室内空気の状況に応じてリアルタイムで対応して空気清浄を行うという差がある。
【０１５９】
使用者の生活パターンは、一日単位、一週単位で一定であることが一般的であるため、通常の場合であれば、人工知能モードに応じて空気清浄が先制的に行われることが室内空気清浄の効率性の向上及び消費電力の節減のために好ましい。
【０１６０】
ところが、室内空気の粒子濃度が不測の事由により急上昇する場合にも、無条件に人工知能モードを維持すれば消費電力の節減が可能であることは別論とし、室内空気の清浄という空気浄化装置の本来の目的達成が困難になり得る。
【０１６１】
従って、本発明の実施例による空気浄化装置を制御する方法は、空気浄化装置が人工知能モードまたは自動モードで作動中に室内空気の状況が急激に悪化する場合、進行中のモードに関係なくリアルタイムで粒子濃度に応じてファン１００の回転速度を制御するように自動モードで作動する。
【０１６２】
以下、図７〜図１０を参照して各モードで作動中である空気浄化装置が室内空気の状況に応じてモードが切り替えられる過程を例示として詳細に説明する。
【０１６３】
図７〜図１０では粒子の例示として微細ホコリで説明する。
【０１６４】
図７〜図１０に示された水平線は、時間軸を意味し、水平線を一定の間隔に分割する垂直線は時間間隔を意味する。
【０１６５】
示された実施例において、水平線を分割する１つの区画はセンサ部２００の微細ホコリ濃度感知周期を意味し、５つの区画が既に設定された時間間隔に該当すると仮定して説明する。一実施例において、１つの区画は１分を意味してもよい。
【０１６６】
センサ部２００は、１つの区画単位で室内空気の微細ホコリ濃度をリアルタイムで感知する。
【０１６７】
また、以下、説明される人工知能モード及び自動モード間のモード切替過程は空気浄化装置が作動中である間、連続的に行われ得る。
【０１６８】
（１）自動モード作動中、人工知能モード適用時の制御方法の説明
１）空気質が非常に悪くなった場合の説明
図７を参照すると、空気浄化装置は自動モードで作動中である。上述した通り、室内空気の清浄効率の向上及び消費電力の節減のためには、人工知能モードで作動することが有利である。
【０１６９】
従って、人工知能モードに切り替えるために、実際の時間が基準時間に該当すれば、空気浄化装置には人工知能モードが適用される。この過程は使用者による別途の入力過程なしに進行され得る。
【０１７０】
人工知能モードが適用された後、空気浄化装置は１つの区画だけの時間の間、人工知能モードで作動する。これは、基準時間にセンサ部２００が感知した微細ホコリ濃度が高くないことを前提とする。
【０１７１】
人工知能モードが適用された後、センサ部２００が微細ホコリ濃度を感知する間隔、即ち、区画の長さ及び数は変更可能である。
【０１７２】
このとき、１つの区画だけの時間が経過した後、センサ部２００で感知された微細ホコリ濃度から既に設定された第２方法によって演算された汚染指数が所定の段階のうち、既に設定された段階、即ち「非常に悪い」に該当する場合、使用者による別途の入力過程がなくても人工知能モードは終了して自動モードに切り替えられる。
【０１７３】
上述した通り、自動モードは室内空気の微細ホコリ濃度にリアルタイムで対応してファン１００の回転速度を決定するため、ファン１００の回転速度は「高い」と決定される。
【０１７４】
人工知能モードが適用されて既に設定された時間間隔（図７では５つの区画）が経過すれば、空気浄化装置には人工知能モードが再度適用される。
【０１７５】
このとき、センサ部２００が感知した微細ホコリ濃度が高くない場合、空気浄化装置は人工知能モードで作動するものの、センサ部２００が感知した微細ホコリ濃度が高い場合、上述した過程を通じて自動モードで維持される。
【０１７６】
２）空気質が非常に悪くなった場合ではない場合の説明
図８を参照すると、空気浄化装置は自動モードで作動中である。室内空気の清浄効率の向上及び消費電力の節減のためには、人工知能モードで作動することが有利であることは上述した通りである。
【０１７７】
人工知能モードに切り替えるために、実際の時間が基準時間に該当すれば、空気浄化装置には使用者による別途の入力過程がなくても人工知能モードが適用される。
【０１７８】
人工知能モードが適用された後、空気浄化装置は、１つの区画だけの時間において、人工知能モードで作動する。これは、基準時間にセンサ部２００が感知した微細ホコリ濃度が高くないことを前提とする。
【０１７９】
人工知能モードが適用された後、センサ部２００が微細ホコリ濃度を感知する間隔、即ち、区画の長さ及び数は変更可能である。
【０１８０】
１つの区画だけの時間が経過した後、センサ部２００は再度室内空気の微細ホコリ濃度をリアルタイムで感知する。
【０１８１】
図８に示された例は、センサ部２００で感知された微細ホコリ濃度から既に設定された第２方法により演算された汚染指数が所定の段階のうち既に設定された段階、即ち「非常に悪い」に該当しない場合であり、自動モードへの切替が不要な状況である。
【０１８２】
従って、空気浄化装置は自動モードへの切替なしに人工知能モードを維持し、既に設定された時間間隔、即ち、５つの区画だけの時間が経過してから人工知能モードが再適用される。
【０１８３】
このとき、センサ部２００が感知した微細ホコリ濃度が高くない場合、空気浄化装置は人工知能モードで維持されるが、センサ部２００が感知した微細ホコリ濃度が高い場合、上述した過程を通じて自動モードに切り替えられる。
【０１８４】
従って、空気浄化装置が自動モードで動作中の場合、別途の入力過程がなくても人工知能モードに切り替えられるが、室内空気の微細ホコリ濃度が非常に高い場合、人工知能モードが適用されているにもかかわらず、自動モードで作動してファン１００が高い回転速度で作動するので、即刻室内空気の清浄が可能である。
【０１８５】
また、自動モードに切り替えられた場合にも、既に設定された時間間隔以後に再度人工知能モードを再適用することにより、室内空気の清浄効率の向上及び消費電力の節減が可能である。
【０１８６】
（２）人工知能モード作動中の制御方法の説明
１）空気質が非常に悪くなった場合の説明
【０１８７】
図９を参照すると、空気浄化装置は人工知能モードで作動中である。室内空気の清浄効率の向上及び消費電力の節減のためには、人工知能モードで作動することが有利であることは上述した通りである。
【０１８８】
実際の時間が基準時間に該当すれば、人工知能モードが適用される。この場合、モード切替のための適用ではなく、人工知能モードを維持するか否かを決定するための適用として理解される。
【０１８９】
人工知能モードが適用された後、空気浄化装置は２つの区画だけの時間において、人工知能モードで作動する。もちろん、センサ部２００は１つの区画単位で室内空気の微細ホコリ濃度をリアルタイムで感知するので、２回の感知過程が行われる。
【０１９０】
人工知能モードが適用された後、センサ部２００が微細ホコリ濃度を感知する間隔、即ち、区画の長さ及び数は変更可能である。
【０１９１】
示された例示は、１つの区画だけの時間経過後には室内空気の微細ホコリ濃度が高くなかったが、２つの区画だけの時間経過後にはセンサ部２００で感知された微細ホコリ濃度から既に設定された第２方法により演算された汚染指数が、所定の段階のうち、既に設定された段階、即ち「非常に悪い」に該当する場合である。
【０１９２】
この場合、使用者による別途の入力過程がなくても人工知能モードは終了して自動モードに切り替えられ、既に設定された時間間隔のうち、残った時間である３つの区画だけの時間において、空気浄化装置は自動モードで作動する。
【０１９３】
上述した通り、自動モードは室内空気の微細ホコリ濃度にリアルタイムで対応してファン１００の回転速度を決定するため、ファン１００の回転速度は「高い」と決定される。
【０１９４】
既に設定された時間間隔、即ち、５つの区画だけの時間が経過すれば、空気浄化装置は人工知能モードが再度適用される。
【０１９５】
このとき、センサ部２００が感知した微細ホコリ濃度が高くない場合、空気浄化装置は人工知能モードで作動するが、センサ部２００が感知した微細ホコリ濃度が高い場合、上述した過程を通じて自動モードで維持される。
【０１９６】
２）空気質が非常に悪くなった場合ではない場合の説明
図１０を参照すると、空気浄化装置は人工知能モードで作動中である。室内空気の清浄効率の向上及び消費電力の節減のためには、人工知能モードで作動することが有利であることは上述した通りである。
【０１９７】
実際の時間が基準時間に該当すれば、人工知能モードが適用される。この場合、モード切替のための適用ではなく、人工知能モードを維持するか否かを決定するための適用として理解される。
【０１９８】
人工知能モードが適用された後、空気浄化装置は２つの区画だけの時間において、人工知能モードで作動する。もちろん、センサ部２００は１つの区画単位で室内空気の微細ホコリ濃度をリアルタイムで感知するので、２回の感知過程が行われる。
【０１９９】
人工知能モードが適用された後、センサ部２００が微細ホコリ濃度を感知する間隔、即ち区画の長さ及び数は変更可能であることは上述した通りである。
【０２００】
示された例示は、センサ部２００で感知された微細ホコリ濃度から既に設定された第２方法により演算された汚染指数が、所定の段階のうち、既に設定された段階、即ち「非常に悪い」に該当しない場合であり、自動モードへの切替が不要な状況である。
【０２０１】
従って、空気浄化装置は自動モードへの切替なしに人工知能モードを維持し、既に設定された時間間隔、即ち、５つの区画だけの時間が経過してから人工知能モードが再適用される。
【０２０２】
このとき、センサ部２００が感知した微細ホコリ濃度が高くない場合、空気浄化装置は人工知能モードで作動するが、センサ部２００が感知した微細ホコリ濃度が高い場合、上述した過程を通じて自動モードで維持される。
【０２０３】
従って、空気浄化装置が人工知能モードで動作中の場合、室内空気の清浄効率の向上及び消費電力の節減に有利であるので人工知能モードを維持するが、センサ部２００で感知された室内空気の汚染程度が基準値以上である場合、使用者の入力有無と無関係に自動モードに切り替えてファン１００が高い回転速度で作動するので、瞬間的に悪化した室内空気の状況に即刻対応することができる。
【０２０４】
また、自動モードに切り替えられた場合にも、既に設定された時間間隔以後に再度人工知能モードを再適用することにより、室内空気の清浄効率の向上及び消費電力の節減が可能である。
【０２０５】
（３）実際の時間と関係なく自動モードで作動する過程の説明
上述した例は、データ収集モードにより収集されたデータに基づいて判断された使用者の生活パターンに従って、実際の時間が基準時間に該当する場合、人工知能モードまたは自動モードで作動する場合である。即ち、「時間」が空気浄化装置の作動モードを決定する変数として作用する。
【０２０６】
ところが、普段の生活パターンとは異なり微細ホコリ発生量が急増する場合にも、室内空気の質と関係なく時間を主な変数として空気浄化装置の作動モードを制御すると、室内空気清浄という空気浄化装置本来の役割の遂行を期待し難い。
【０２０７】
従って、本実施例ではセンサ部２００で感知された微細ホコリ濃度から既に設定された第２方法により演算された汚染指数が所定の段階のうち、既に設定された段階、即ち「非常に悪い」に該当する場合、実際の時間が基準時間に該当するか否かと無関係に空気浄化装置が自動モードで作動する。
【０２０８】
または、自動モードへの切替過程なしにすぐにファン１００の回転速度が最大になるように空気浄化装置が作動され得る。
【０２０９】
この過程は、室内空気の質に即刻反応できるように使用者による別途の入力過程なしに進行されることが好ましい。この場合、使用者は人工知能モードを適用したにもかかわらず、普段の生活パターンに従ったファン１００の回転速度と異なって自動モードあるいは最大速度でファン１００が作動し、いぶかしく感じうるので、使用者に状況を案内できる別途の表示窓（図示せず）などが備えられることが好ましい。
【０２１０】
即ち、使用者が適用した作動モードと関係なく空気浄化装置が強制的に自動モードで作動するものである。
【０２１１】
従って、普段は使用者の生活パターンに従って発生する微細ホコリ濃度に応じて決定された人工知能モードにより空気浄化装置が作動するが、微細ホコリ濃度が急増する場合、実際の時間が基準時間に該当するか否かと関係なくファン１００の回転速度を最大に作動させることにより、室内空気の清浄を速く行うことができる。
【０２１２】
以上、本発明の好ましい実施例を参照して説明したが、当該技術分野において通常の知識を有する者であれば、以下の請求の範囲に記載された本発明の思想及び領域を逸脱しない範囲内で本発明を多様に修正及び変更させることができることを理解できるだろう。
【符号の説明】
【０２１３】
１０：ヘッド部
２０：首部
３０：ボディ部
４０：ベース
１００：ファン
２００：センサ部
３００：制御部
３１０：変化量演算モジュール
３２０：標準点数演算モジュール
３３０：学習モジュール
３４０：人工知能制御モジュール
３５０：汚染指数演算モジュール
３６０：自動制御モジュール
【図１】
2021527791.tif 000009
【図２】
2021527791.tif 000010
【図３】
2021527791.tif 000011
【図４】
2021527791.tif 000012
【図５】
2021527791.tif 000013
【図６】
2021527791.tif 000014
【図７】
2021527791.tif 000015
【図８】
2021527791.tif 000016
【図９】
2021527791.tif 000017
【図１０】
2021527791.tif 000018
【国際調査報告】
2021527791.tif 000019
2021527791.tif 000020
2021527791.tif 000021
2021527791.tif 000022